(57)【要約】      （修正有）【課題】取手付きドラム缶の底の縁は移動時の接触などで表面処理が剥げ、缶を床に何回と置かれ底部にゴミ等が付着し、その状態で重ねられドラム缶上部の窪みにゴミが溜まること、損傷を防ぐと共に持ち運びし易くする。【解決手段】肉薄のプラスチック材料で圧空成型、真空成型などで製作した、取手付きドラム缶の上面形状に沿い縁を巻き込んだ保護カバーと底部形状に沿い縁を巻き込んだ底部保護カバーを付けた状態でドラム缶を重ねることができ、且つ、保護カバーにドラム缶の取手付近を穴、断続的な筋目、ハーフカットの筋目、切り落としの筋目を加工する。保護カバー、底部保護カバーが付いた状態で輸送、保管時は積み重ねが出来、持ち運び時にはドラム缶の取手を保護カバーの穴を通し、断続的な筋目、ハーフカットの筋目は簡単に切断することができ、切り落とし筋目から取手を取り出し保護カバーを付けたままドラム缶の持ち運びができる。【選択図】図９
2007276872.tif 000002
【特許請求の範囲】
【請求項１】
上部に取手が付随したドラム缶にドラム缶上側に被せられる形状を有した成型されたカバーを、缶の上面に被せ、上側カバーの中央付近平面部に必要な箇所に穴、断続的な筋目、ハーフカットの筋目、及び切り落としの筋目を１乃至複数を有し、又この筋目が交差する形状も考慮し缶を移動する時にカバーが被さった状態で缶に付随している取手を穴に通して持つ事ができ、断続的な筋目、ハーフカットの筋目は少しの力で破れ、及び切り落としの筋目はそのままその筋目から取手を取り出し、取手を持って移動が可能になり缶の縁を保護すると共に重ねる際に缶の底に付いたゴミ等が直接缶に付かないようにしたドラム缶保護カバー。
【請求項２】
上記請求項１のカバーと缶底部に被せられる形状を有し成型されたカバーを缶底部に被せ、缶の縁等を保護するカバーと上記請求項１のカバーと一対で使用するようにしたドラム缶保護カバー。
【発明の詳細な説明】
【技術分野】
【０００１】  本発明は取手付きドラム缶の製造から保管、移動、輸送そして、ドラム缶に内容物を充填に際して保管、移動、輸送等は重ねて置くのが通例で且つ、充填されたドラム缶を短い距離の移動はドラム缶を斜めにして回転しながら移動する。ドラム缶の縁を保護及び、上面の凹みの部分にゴミ、油汚れ等が付かないようにし、且つ、移動時に持ち易くできるようにしたドラム缶保護カバー。
【背景技術】
【０００２】  ドラム缶の縁に缶の形状に沿って成型された保護カバーを被せ、ドラム缶が重ねることができ、移動時には缶に付随した取手を保護カバーから出せるようにする。ドラム缶底部に底部保護カバーを被せ一対で使用する。
【発明の開示】
【発明が解決しようとする課題】
【０００３】取手付きドラム缶の製造から充填そして商品として需要家に渡るまでに、ドラム缶の底の縁は移動時の接触などで表面処理が剥げ、缶を床に何回と置かれ底部にゴミ等が付着し、その状態で重ねられドラム缶上部の窪みにゴミが溜まることになる。【０００４】  そこで本発明は取手付きドラム缶の上面形状に成型された保護カバーをドラム缶上部に被せ、ドラム缶底部に底部形状に成型された底部保護カバーを被せ、缶の縁部の損傷を防ぎゴミ、油汚れなどが直接ドラム缶に付着せず、カバーを被せても積み重ねに差し支えなく、持ち運びの際に取手が保護カバーを被せたまま使う事ができるように利便性の向上を図ることが出来るようにした。
【課題を解決するための手段】
【０００５】  本発明は取手付きドラム缶の上面形状及び底部形状に沿い縁を巻き込んだ保護カバー、底部保護カバーは肉薄のプラスチック材料で圧空成型、真空成型などで製作し、ドラム缶に付随している取手の付近に保護カバーに穴、断続的な筋目、ハーフカットの筋目、切り落としの筋目を加工する。【０００６】  ドラム缶に保護カバーが付いた状態で保管時は積み重ね、移動の際にはドラム缶の付随している取手を保護カバーの穴、断続的な筋目、ハーフカットの筋目、切り落としの筋目などから取り出し保護カバーを付けたまま持ち運びができるようにしたドラム缶保護カバー。
【発明の効果】
【０００７】  本発明のドラム缶保護カバーは取手付きドラム缶を移動に於ける接触で缶の縁に施された表面処理が剥がれる。又、移動時には床のゴミ、油汚れなどが缶の底部に付着し、保管、輸送を行うたびに重ねられドラム缶本体上部に缶底部のゴミ、油汚れなどから保護できる効果がある。
【発明を実施するための最良の形態】
【０００８】取手付きドラム缶の上面形状に沿い縁を巻き込んだ保護カバー、底部形状に沿い縁を巻き込んだ底部保護カバーは肉薄のプラスチック材料で圧空成型、真空成型などで製作し、保護カバー、底部保護カバーを付けた状態でドラム缶を重ねることができ、且つ、保護カバーにドラム缶の取手付近を穴、断続的な筋目、ハーフカットの筋目、切り落としの筋目を加工する。ドラム缶に保護カバー、底部保護カバーが付いた状態で輸送、保管時は積み重ねが出来、持ち運びなどの移動時にはドラム缶の取手を保護カバーの穴を通し、断続的な筋目、ハーフカットの筋目は簡単に切断することができ、切り落とし筋目から取手を取り出し保護カバーを付けたままドラム缶の持ち運びができる。以下は図面を参照して説明する。図１は取手付きドラム缶の一例の斜視図。図２は請求項１のドラム缶に保護カバーを被せた一例の斜視図。図３はドラム缶に請求項１の保護カバーと底部に底部保護カバーを被せた一対で使用した一例の斜視図。
【実施例１】
【０００９】図１は取手付きドラム缶１（以下、缶と記す）の一例の斜視図。缶１の上部に取手２注ぎ口３を有し、取手２は通常は横になっており持ち運ぶときに取手２を起こし缶１を持ち上げる。缶１の上部の周りに縁４が有り、底部の周りにも縁５が有る。【００１０】図２は缶１に保護カバー６を被せた一例の斜視図。図４は保護カバー６に穴７を開けた斜視図、図５は保護カバー６に断続的な筋目８を加工した斜視図、図６は保護カバー６にハーフカットの筋目９を加工した斜視図、図７は保護カバー６に切り落としの筋目１０を加工した斜視図、図８は保護カバー６にハーフカット、切り落とし、断続的な筋目の何れかを交差１１させた加工の斜視図である。【００１１】図９は缶１に保護カバー６を被せ、穴７、又は各種の筋目１２の何れかに取手２を通し保護カバー６が被ったまま取手２を持つ事が出来る斜視図である。
【実施例２】
【００１２】図１０は底部保護カバー２０で図３に於いて、缶１の上部に請求項１の保護カバー６を被せ、缶１の底部の縁５を傷が付かないように保護する底部保護カバー２０を保護カバー６と一対で使用した請求項２の斜視図の一例。
【産業上の利用可能性】
【００１３】ドラム缶を製造し納品迄の品質管理、ドラム缶に内容物を充填し、出荷までの品質管理に於いて傷、汚れなどが付着しないように外観に気を使う。保護カバー、底部保護カバーを被せることでドラム缶の積み重ねによる傷、汚れがドラム缶に直接付かなくなり、持ち運びに於いても保護カバーが被さったまま取手を持つ事が出来る利点がある。
【図面の簡単な説明】
【００１４】
【図１】取手付きドラム缶の一例の斜視図
【図２】請求項１のドラム缶に保護カバーを被せた一例の斜視図
【図３】請求項２の斜視図
【図４】保護カバーに穴を開けた斜視図
【図５】保護カバーに断続的な筋目を加工した斜視図
【図６】保護カバーにハーフカットの筋目を加工した斜視図
【図７】保護カバーに切り落としの筋目を加工した斜視図
【図８】保護カバーにハーフカット、切り落とし、断続的な筋目の何れかを交差させた加工した斜視図
【図９】缶に保護カバーを被せ、穴、又は各種の筋目の何れかに取手を通し保護カバーが被ったまま取手を持つ事が出来る斜視図
【図１０】底部保護カバーの斜視図
【符号の説明】
【００１５】    １  ドラム缶
２  取手
３  注ぎ口
４  上部の周りの縁
５  底部の周りの縁
６  保護カバー
７  穴
８  断続的な筋目
９  ハーフカットの筋目
１０切り落としの筋目
１１交差
１２各種の筋目
２０底部保護カバー
【図１】
2007276872.tif 000003
【図２】
2007276872.tif 000004
【図３】
2007276872.tif 000005
【図４】
2007276872.tif 000006
【図５】
2007276872.tif 000007
【図６】
2007276872.tif 000008
【図７】
2007276872.tif 000009
【図８】
2007276872.tif 000010
【図９】
2007276872.tif 000011
【図１０】
2007276872.tif 000012